(57)【特許請求の範囲】
【請求項１】
原稿を載置する原稿台と、
この原稿台上に載置された原稿の画像面に光を照射する光源と、
受光に応じた受光信号を出力する撮像手段、および、前記原稿の画像面からの反射光を前記撮像手段の受光面に結像する光路手段からなる原稿読み取り手段とを有して、前記原稿台上に載置された原稿の画像を読み取る画像読み取り装置であって、
複数の開口部を有し、かつそれら開口部の遮蔽状態により読み取り条件を表す操作パネル部を前記原稿台側に備え、
この操作パネル部の複数の開口部の遮蔽状態を前記原稿読み取り手段によって読み取り、この原稿読み取り手段によって得られた読み取りデータに基いて原稿の読み取り条件を設定することを特徴とする画像読み取り装置。
【請求項２】
前記操作パネル部は、原稿台の原稿の先端を位置規制する側に設けられていることを特徴とする請求項１に記載の画像読み取り装置。
【請求項３】
原稿読み取り手段がＣＣＤからなる撮像手段を有する移動式光学ユニットであり、原稿読み取り手段が上記操作パネル部の下方に位置してその操作パネル部の複数の開口部が遮蔽されている状態を読み取り、この原稿読み取り手段によって得られた読み取りデータに基いて原稿の読み取り条件を設定することを特徴とする請求項１または２に記載の画像読み取り装置。
【請求項４】
画像読み取り装置は、画像データに基づく画像を形成する画像形成部を備えていることを特徴とする請求項１から３のうちの１項に記載の画像読み取り装置。
【請求項５】
画像読み取り装置の操作パネル部の複数の開口部は、それら開口部の遮蔽状態により画像形成部における画像の印字条件を表す手段でもあり、
この操作パネル部の複数の開口部の遮蔽されている状態を前記の原稿読み取り手段によって読み取り、この原稿読み取り手段によって得られた読み取りデータに基いて画像の印字条件を設定することを特徴とする請求項４に記載の画像読み取り装置。
【請求項６】
原稿台側に原稿読み取り手段のシェーディング補正をするためのシェーディング補正部を設けたことを特徴とする請求項１から５のうちの１項に記載の画像読み取り装置。
【請求項７】
シェーディング補正部は、原稿台の原稿の先端を位置規制する側に設けられていることを特徴とする請求項６に記載の画像読み取り装置。
【請求項８】
原稿台上に載置された原稿の画像面に光源から光を照射し、原稿読み取り手段がその光路手段によりその原稿の画像面からの反射光を撮像手段の受光面に結像し、前記撮像手段から出力される反射光に応じた受光信号に基づき原稿台上に載置された原稿の画像を読み取る画像読み取り方法であって、
複数の開口部を有し、かつそれら開口部の遮蔽状態により読み取り条件を表す操作パネル部を前記原稿台側に設け、
この操作パネル部の複数の開口部の遮蔽された状態を前記原稿読み取り手段によって読み取り、この原稿読み取り手段によって得られた読み取りデータに基いて原稿の読み取り条件を設定する第１のステップと、
原稿読み取り手段のシェーディング補正を行う第２のステップと、
上記第１のステップで設定された読み取り条件に基づいて、第２のステップでシェーディング補正された原稿読み取り手段によって原稿台に載置された原稿の画像を読み取る第３のステップとを含むことを特徴とする画像読み取り方法。
【請求項９】
シェーディング補正を、原稿読み取り手段で操作パネル部に隣接した標準白板を読み取ることにより行うことを特徴とする請求項８に記載の画像読み取り方法。
【発明の詳細な説明】
【０００１】
【発明の属する技術分野】
本発明は、画像形成装置における操作パネル部に関し、より詳しくはコンパクト設計によりユーザの使い勝手を悪化させない操作パネル部を用いた画像読み取り装置および画像読み取り方法に関する。
【０００２】
【従来の技術】
従来、画像形成装置の原稿読み取り用スキャナにおいて、近年は、装置の多様化が図られる一方、装置のコンパクト設計が進行している。この様なときに、少しでも装置をコンパクトにするあまりに、操作パネル部のタッチキーを小さくしてしまい、ユーザの操作が煩雑になることがある。
【０００３】
このような問題点を解消する方法として、特開平１０−２２２０１５号公報では、表示部に複数の機能項目を表示するとともに、複数の機能項目に対応して選択された機能選択肢をも併せて表示可能な機能項目表示領域と、この機能項目表示領域でいずれかの機能項目が選択された場合には、当該選択された機能項目に対応した複数の機能選択肢を表示する機能選択肢表示領域とを備え、前記機能選択肢表示領域が各機能項目に共有されるように構成することにより、コンパクトでありながら多機能な表示装置を提案している。
【０００４】
【発明が解決しようとする課題】
しかしながら、特開平１０−２２２０１５号公報は、複数の機能項目を表示する表示部や、この複数の機能項目に対応した機能選択肢をも併せて表示可能な表示部といった、表示部における多機能化を特徴とした表示装置である。しかし、このような表示装置は安価には実現できず、装置固有であるためパッケージ化に適せず、新機種毎にこのような表示装置を開発することによるコスト増大を免れない。
【０００５】
本発明は、前記従来の問題点に鑑みてなされたものであって、操作上の不具合を解消するために、操作パネル部を必要最小限とし、なおかつ、安価に実現可能な操作パネル部を用いた画像読み取り装置および画像読み取り方法を提供することを目的とする。
【０００６】
【課題を解決するための手段】
本発明は、前記目的を達成するため、次の構成を有する。
請求項１記載の発明は、原稿を載置する原稿台と、この原稿台上に載置された原稿の画像面に光を照射する光源と、受光に応じた受光信号を出力する撮像手段、および、前記原稿の画像面からの反射光を前記撮像手段の受光面に結像する光路手段からなる原稿読み取り手段とを有して、前記原稿台上に載置された原稿の画像を読み取る画像読み取り装置であって、複数の開口部を有し、かつそれら開口部の遮蔽状態により読み取り条件を表す操作パネル部を前記原稿台側に備え、この操作パネル部の複数の開口部の遮蔽状態を前記原稿読み取り手段によって読み取り、この原稿読み取り手段によって得られた読み取りデータに基いて原稿の読み取り条件を設定することを特徴とする画像読み取り装置である。
【０００７】
請求項２記載の発明は、前記操作パネル部が、原稿台の原稿の先端を位置規制する側に設けられていることを特徴とする請求項１に記載の画像読み取り装置である。
【０００８】
請求項３記載の発明は、原稿読み取り手段がＣＣＤからなる撮像手段を有する移動式光学ユニットであり、原稿読み取り手段が上記操作パネル部の下方に位置してその操作パネル部の複数の開口部が遮蔽されている状態を読み取り、この原稿読み取り手段によって得られた読み取りデータに基いて原稿の読み取り条件を設定することを特徴とする請求項１または２に記載の画像読み取り装置である。
【０００９】
請求項４記載の発明は、画像読み取り装置が、画像データに基づく画像を形成する画像形成部を備えていることを特徴とする請求項１から３のうちの１項に記載の画像読み取り装置である。
【００１０】
請求項５記載の発明は、画像読み取り装置の操作パネル部の複数の開口部が、それら開口部の遮蔽状態により画像形成部における画像の印字条件を表す手段でもあり、この操作パネル部の複数の開口部の遮蔽されている状態を前記の原稿読み取り手段によって読み取り、この原稿読み取り手段によって得られた読み取りデータに基いて画像の印字条件を設定することを特徴とする請求項４に記載の画像読み取り装置である。
【００１１】
請求項６記載の発明は、原稿台側に原稿読み取り手段のシェーディング補正をするためのシェーディング補正部を設けたことを特徴とする請求項１から５のうちの1項に記載の画像読み取り装置である。
【００１２】
請求項７記載の発明は、シェーディング補正部は、原稿台の原稿の先端を位置規制する側に設けられていることを特徴とする請求項６に記載の画像読み取り装置である。
【００１３】
請求項８記載の発明は、原稿台上に載置された原稿の画像面に光源から光を照射し、原稿読み取り手段がその光路手段によりその原稿の画像面からの反射光を撮像手段の受光面に結像し、前記撮像手段から出力される反射光に応じた受光信号に基づき原稿台上に載置された原稿の画像を読み取る画像読み取り方法であって、複数の開口部を有し、かつそれら開口部の遮蔽状態により読み取り条件を表す操作パネル部を前記原稿台側に設け、この操作パネル部の複数の開口部の遮蔽された状態を前記原稿読み取り手段によって読み取り、この原稿読み取り手段によって得られた読み取りデータに基いて原稿の読み取り条件を設定する第１のステップと、原稿読み取り手段のシェーディング補正を行う第２のステップと、上記第１のステップで設定された読み取り条件に基づいて、第２のステップでシェーディング補正された原稿読み取り手段によって原稿台に載置された原稿の画像を読み取る第３のステップとを含むことを特徴とする画像読み取り方法である。
【００１４】
請求項９記載の発明は、シェーディング補正を、原稿読み取り手段で操作パネル部に隣接した標準白板を読み取ることにより行うことを特徴とする請求項８に記載の画像読み取り方法である。
【００１５】
すなわち、本発明は、前記の構成を採用することにより、使い勝手がよく、機種毎の移植性が高い、操作パネル部を用いた画像読み取り装置および画像読み取り方法を実現できる。
【００１６】
【発明の実施の形態】
以下、図面を参照して本発明の実施形態を詳細に説明する。
本実施の形態における複写機は、図１に示すように本発明の画像読み取り装置を適用したディジタル複写機である。図１の正面の断面図より、ディジタル複写機１は、画像読み取り部２と、画像形成部３と、給紙部４と、排紙部５とを配置して構成されている。
【００１７】
画像読み取り部２は、原稿台２１と、露光ランプ２２、ミラー２３〜２５、レンズ２６、およびＣＣＤ２７を有する移動式光学ユニット（原稿読み取り手段に相当）２０とを備えている。
露光ランプ２２は光源に相当し、ＣＣＤ２７は同じく撮像手段に相当する。原稿台２１はプラテンガラス等の透明ガラス体によって構成され、上面に原稿Ｄが載置される。露光ランプ２２及びミラー２３〜２５は、原稿台２１の下面を矢印Ａ及びＢ方向に往復移動する。
【００１８】
露光ランプ２２は、矢印Ａ方向への往動時に原稿台２１上に載置された原稿の画像面に光を照射する。ミラー２３〜２５は、露光ランプ２２の光による原稿Ｄの画像面における反射光を、レンズ２６及びＣＣＤ２７方向に配光する。レンズ２６は、原稿Ｄの画像面における反射光を、ＣＣＤ２７の受光面に結像する。ＣＣＤ２７は、受光量に応じた受光信号を出力する。なお、原稿Ｄの画像面からＣＣＤ２７までの問の光路長を一定にすべく、ミラー２４と、２４の移動速度は、露光ランプ２２及びミラー２３の移動速度の１／２にされている。なお、図１中には原稿台２１と対であり、原稿Ｄを原稿台２１に載直後に原稿Ｄを覆った状態に設置する原稿台カバーが省略されている。
【００１９】
画像形成部３は、感光体ドラム３１と、帯電器３２と、レーザ書き込みユニット３３と、現像器３４と、転写器３５と、剥離器３６と、クリーナ３７とを備えている。感光体ドラム３１は、表面に光導電層を形成して一定速度で矢印Ｃ方向に回転する。帯電器３２は、感光体ドラム３１の表面に単一極性の電荷を均一に付与する。レーザ書き込みユニット３３は、画像データに基づくレーザ光を感光体ドラム３１の表面に照射する。現像器３４は、感光体ドラム３１の表面にトナーを供給する。転写器３５は、感光体ドラム３１の表面に担持されたトナー像を、用紙の表面に転写する。剥離器３６は、感光体ドラム３１の表面から用紙を剥離する。クリーナ３７は、感光体ドラム３１の表面から残留トナーを除去する。
【００２０】
給紙部４は、給紙カセット４１と、手差しトレイ４２と、繰出しローラ４３と、４４と、給紙ローラ４５〜４７とを備えている。給紙カセット４１は、単一サイズの複数枚の用紙Ｐを収納して、ディジタル複写機１本体に着脱自在に装着される。手差しトレイ４２は、ディジタル複写機１本体の一方の側面に装着され、上面に手差し用紙Ｐが載置される。繰出しローラ４３と、４４は、給紙カセット４１内に収納された用紙Ｐと、手差しトレイ４２上に載置された用紙Ｐを１枚ずつ送り出す。給紙ローラ４５〜４６は、給紙カセット４１又は、手差しトレイ４２から繰出された用紙Ｐを、後述する用紙搬送路に給紙する。
【００２１】
排紙部５は、排紙トレイ５１を備えている。排紙トレイ５１は、ディジタル複写機１本体の他方の側面に装着され、画像形成後にディジタル複写機１本体から排出された用紙Ｐを、上面に収納する。
【００２２】
ディジタル複写機１本体の内部には、給紙部４の給紙ローラ４６と、４７から画像形成部３の感光体ドラム３１と、転写器３５と、剥離器３６との間を経由して、排紙部５に至る用紙搬送路６が形成されている。この用紙搬送路６には、レジストローラ６１と、搬送ベルト６２及び定着ローラ６３が配置されている。レジストローラ６１は、給紙部４から給紙された用紙Ｐを所定のタイミングで、感光体ドラム３１と転写器３５と、剥離器３６との間に導く。搬送ベルト６２は、トナー像が転写された用紙Ｐを、定着ローラ６３に搬送する。定着ローラ６３は、一対の加熱ローラ、及び加圧ローラによって構成されており、加熱ローラは内部に設けられたヒータランプ６３ａによって、所定温度に加熱される。トナー像が転写された用紙Ｐを加熱及び加圧し、トナー像を溶融して用紙Ｐの表面に定着させた後、用紙Ｐを排紙部５の排紙トレイ５１に搬送する。
【００２３】
なお、複写機１と、スキャナ（図示しない）などを含めた制御ブロック図は、一例としては図５に示すとおりである。
【００２４】
メインコントロール基板２７１は、内部にＣＣＤ制御２７ｃと、画像処理２７ｄとを含むＡＳＩＣ２７ｂと、データ選択２７ｅと、２つのＳＲＡＭ（３２ｋＸ８）２７ｆと、ＣＰＵ（Ｈ８Ｓ）２７ｇと、モータドライバ２７ｈと、ＲＡＭ２７ｊと、ＲＯＭ２７ｉと、ＥＥＰＲＯＭ２７ｋとから成り立っている。
【００２５】
ＣＣＤ基板２７０には、原稿を読み取るためのＣＣＤ２７とＡＤ変換器２７ａが搭載されており、ＡＳＩＣ２７ｂのＣＣＤ制御２７ｃ信号に応じてＣＣＤ２７で撮影した画像信号をＡ／Ｄ変化して画像処理２７ｄに出力し、ＳＲＡＭ２７ｆに一時格納する。
画像データは、前記データ選択２７ｅと、Ｉ／Ｆ２７ｎを含むＡＳＩＣ２７ｍと、ＤＲＡＭ２７ｐとを搭載したＩ／Ｆ基板２７２を通して、パソコン９１とデータのやり取りがされる。また、前記データ選択２７ｅを通して、ＬＳＵユニット９２に搭載のレーザ９２ａにレーザ出力の制御がなされる。また、排紙センサ５１ａと、ホームポジション９８との各々の情報により、ＡＳＩＣ２７ｂが動作判断をする。操作パネル部２９０の入力にしたがってモータドライバ２７ｈに動作命令を出力してスキャナモータ９９を駆動する。
【００２６】
また、メインコントロール基板２７１は、インバータ２２ａの電源によりランプ２２を点灯させる。
【００２７】
メインコントロール基板２７１は、高圧基板９０に搭載されている入紙センサ９０ａと、カバーＳＷ９０ｂと、ピックアップソレノイド９５駆動用のドライバ９０ｃと、メインモータ９６駆動用のモータドライバ９０ｄと、高圧ユニット９０ｅと共に、レーザビームセンサ９３と、ポリゴンモータ９４と、排紙センサ５１ａと、前記ヒートローラ６３に設けられたサーミスタ６３ｂとの間で信号の入力・出力している。
【００２８】
ヒータランプ６３ａには電源ユニット９７から電源供給され、この電源ユニット９７は、前記高圧ユニット９０ｅの搭載された高圧基板９０に電源を供給すると共に、ヒートローラ６３に設けられたヒータランプ６３ａに電源を供給する。
また、高圧基板９０は、レーザビームセンサ９３の情報をもとに、ポリゴンモータ９４を、サーミスタ６３ｂの情報をもとに、ヒートローラ６３の動作を制御する。
【００２９】
高圧ユニット９０ｅは、複写機１の転写ローラ３５と、感光体カートリッジ３１０（ドラム３１と、メインチャージャーローラ３１ａとを含む。）と、剥離電極３６と、現像カートリッジ３４（現像ローラ３４ａと、ドクター３４ｂと、アースシート３４ｃとを含む。）と、温度ヒューズ１００とに高圧電源を供給する。
【００３０】
ここで、ディジタル複写機１本体の上面には、図１および図５に図示しない操作パネル部が配置されている。この操作パネル部は、複写モードや、複写倍率及び複写部数等や、複写動作開始指示等の複写条件の設定内容を確認可能である。
【００３１】
よってこの操作パネル部の詳細については、図２と、図３を用いて説明する。原稿読み取り部材（原稿読み取り手段）である移動式光学ユニット２０は、通常の原稿読み取り動作を行わない時には、図２に示す所定のホームポジションにて待機する。この待機中に露光ランプ２２は常に照射を行っているが、電源ＯＮ直後や印字・読み取り終了後の所定時間が経過後には、省エネルギーモードと呼ばれるモードに入り消灯される。
【００３２】
前記の省エネルギーモードを解除するには、装置に設置される省エネルギー解除スイッチの押下か、或いは電源スイッチのＯＦＦ／ＯＮを行えばよく、省エネルギーモードが解除されると露光ランプ２２は発光し、ホームポジションの上部に配置される原稿先端位置規制板２８を照射する。
【００３３】
移動式光学ユニット２０の上部には、原稿台２１の原稿Ｄの先端を位置規制する原稿先端位置規制板２８が設置されており、この原稿先端位置規制板２８はタッチ式操作パネル部２９とシェーディング補正部３０に大別されるが、まず、最初に前記のタッチ式操作パネル部２９について、図２と詳細図である図３を絡めて以下に説明する。
【００３４】
タッチ式操作パネル部２９には、様々な開口部が配置され、各開口部はタッチ式操作パネル部２９の直下に位置する移動式光学ユニット２０により常に検知されている。
【００３５】
前記の各開口部の検知は、露光ランプ２２の照射による光路が、前記の様々な開口部と、ミラー２３〜２５と、そしてレンズ２６とを経て、ＣＣＤ２７へと導かれることにより行なわれ、よってこの開口部をユーザが指で遮蔽することにより、ＣＣＤ２７ではユーザにより操作されたタッチ式操作パネル部２９の状態を検知することが可能となる。なお本実施形態では、前記の開口部の遮蔽はユーザの指により行なわれているが、例えばスライド板やピン等の部材を設けることによって、タッチ式操作パネル部２９の開口部の遮蔽方法に様々なバリエーションを増やすことができる。
【００３６】
前記のタッチ式操作パネル部２９には、原稿Ｄを印字する際の等倍・変倍を指定する印字倍率選択部８６と、給紙用紙サイズを選択する用紙選択部８５と、原稿の種類により露光を自動か、手動か、写真等のいずれかのモード選択を可能とした露光量選択部８４と、前記の露光量選択部８４にて手動を選択した場合にその露光量を指示する露光量選択部８３と、印字枚数を指示する印字枚数設定部８２と、そして前記の各選択部にて指定した設定条件を決定し、若しくはクリアを行う入力決定部８１等に大別される。
【００３７】
前記の各選択部のうち印字倍率選択部８６や印字枚数設定部８２を除く他の選択部は、１度の操作でその条件をＣＣＤ２７にて認識することが可能であるが、印字倍率選択部８６を設定する場合には、Ａ３→Ａ４縮小やＢ４→Ａ３拡大のような規定の変倍や、特定の倍率への指定を該当する開口部の遮蔽を複数回繰り返し、また印字枚数を設定する際には要求枚数分の遮蔽を繰り返すことによって枚数設定を行う。
各選択部にて正しく印字条件を設定した後に、入力決定部８１にて決定部分の開口部の遮蔽により、原稿Ｄの読み取りや印字処理が開始されるが、各印字条件を誤操作等により再設定したい場合には、入力決定部８１にてクリア部分の開口部を遮蔽することにより、全ての印字条件がクリアされる。
【００３８】
シェーディング補正部３０は前記のタッチ式操作パネル部２９が走査された後、移動式光学ユニット２０により走査される。これはシェーディング補正部３０に標準白板が設けてあり、この標準白板を移動式光学ユニット２０が走査することにより、移動式光学ユニット２０における光量の調整等のシェーディング補正を行った後で原稿Ｄを読み取る手順を踏まえる。よって適切な原稿読み取りを行うことができる。
【００３９】
前記の図２と、図３の構成による原稿の複写処理手順を、図２の構成を基に図４のフローチャートを用いて以下に説明する。以下文中に各手順を“ＳＴＥＰ”と記述し、図４中のＳＴＥＰを示すこととする。
【００４０】
ユーザの指示により原稿読み取り指示が与えられ、ＳＴＥＰ０１では光源である露光ランプ２２が現在照射されているか否かを判定する。電源ＯＮ直後等の露光ランプ２２が照射されている場合にはＳＴＥＰ０３へ進む。一方、照射されていない場合にはＳＴＥＰ０２へ進んで省エネルギーモードの解除を行った後に、再びＳＴＥＰ０１へ進むことによりループ処理を行う。
【００４１】
ＳＴＥＰ０３では原稿Ｄの読み取り条件を、ＳＴＥＰ０４では用紙Ｐへの印字条件を夫々タッチ式操作パネル２９に設定する。
ＳＴＥＰ０５では前述のＳＴＥＰ０３と、０４にて設定した各項目に変更が必要か否かがユーザにより判定される。
各項目に変更が不要な場合にはＳＴＥＰ０７へ進む。
一方、各項目に変更が必要な場合にはＳＴＥＰ０６にて図３のタッチ式操作パネル部２９上の入力決定部の入力クリアキーを、ユーザが指操作することにより、ＳＴＥＰ０３と、０４にて設定した項目を初期化した後にＳＴＥＰ０３へ進んでループ処理を行う。
【００４２】
ＳＴＥＰ０７では図３のタッチ式操作パネル部２９上の入力決定部の入力決定キーを、ユーザが指操作することにより、原稿読み取り処理を開始する旨が画像形成装置へ通知され、移動式光学ユニット２０がシェーディング補正部３０の下部へ移動して、ＳＴＥＰ０８では移動式光学ユニット２０に対するシェーディング補正が行なわれる。その後に、ＳＴＥＰ０９にて原稿Ｄの画像読み取りが、ＳＴＥＰ１０ではＳＴＥＰ０９にて読み取られた画像の印字処理が行なわれる。
【００４３】
次に、ＳＴＥＰ１１では次の印字要求があるか否かを判定する。次の印字要求がなければ処理を終了する。
一方、次の印字要求がある場合にはＳＴＥＰ１２にて、次の印字要求がＳＴＥＰ０３と、０４にて設定した印字条件と同じか否かが判定される。
印字条件が同じ場合にはＳＴＥＰ０８へ進むことにより、ＳＴＥＰ０８からの一連のループ処理が行なわれる。
一方、次の印字要求がＳＴＥＰ０３と、０４にて設定した印字条件とは異なる場合には、ＳＴＥＰ０６と同様に図３のタッチ式操作パネル部２９上の入力決定部の入力クリアキーを、ユーザが指操作することにより、ＳＴＥＰ０３と、０４にて設定した項目を初期化した後にＳＴＥＰ０３からの一連のループ処理を行う。
【００４４】
以上説明した通り本実施形態によれば、ユーザにより指示されたタッチ式操作パネル部２９の状態を、原稿読み取り手段である移動式光学ユニット２０を用いて認識することにより、構成部品が少なく、タッチ式操作パネル部２９を安価にできる。また、小型で簡素な構成により、使い勝手がよく、機種毎の移植性を高め、なおかつ、画像形成装置の既存機能を有効利用できる操作パネル部２９を実現することができる。
【００４５】
また、タッチ式操作パネル部２９を認識する撮像手段は、画像読み取り装置のＣＣＤ２７であるため、部品点数を増加させず、簡単な機構でなおかつ、安価に実現することができる。
【００４６】
また、タッチ式操作パネル部２９上の印字条件等の設定が、タッチ式操作パネル部２９上の開口部を手等で遮蔽することで行うことができるため、操作性に優れている。
加えて、従来のユーザによるこのタッチ式操作パネル部２９の設定手順を踏襲しているため、他の装置へも流用可能であり、なおかつ、簡素な構成により実現することができる。
【００４７】
また、画像読み取り手段の移動式光学ユニット２０の光源２２が、装置の電源がＯＮされた状態では常時点灯し、省エネルギーモードの場合では消灯していることにより、簡単な表示機能の役割をし、なおかつ、ユーザがタッチ式繰作パネル部２９を設定する際のレスボンスを悪化させることなく実現することができる。また省エネルギーモードに対する処置がなされることにより、ディタル複写機１の待機時における消費電力を抑制することができる。
【００４８】
また、原稿読み取り条件や印字条件の設定後、条件入力決定を示す開口部を遮蔽することにより、原稿読み取りが開始されるため、ユーザのケアレスミスを未然に防ぐことができる。
【００４９】
また、原稿読み取り条件や印字条件の設定後、条件入力のクリアを示す開口部を遮蔽することにより、前記の各条件がクリアされ、再度各条件を設定し直すことが可能であることより、使い勝手がよく、ユーザのケアレスミスに対応可能であるタッチ式繰作パネル２９を実現することができる。
【００５０】
また、電源ＯＮ時や省エネルギーモードの解除が行なわれた時には、光源２２を含む移動式光学ユニット２０がホームポジションである原稿先端位置規制板２８の開口部直下に復帰することより、ユーザが何らかの印字条件等をタッチ式操作パネル部２９にて設定する際にタイムラグが発生せず、使い勝手を向上させることができる。
【００５１】
また、移動式光学ユニット２０が原稿読み取り条件や、印字条件の設定を認識し、光源２２の光量を決定するシェーディング補正を行った後で、原稿画像の読み取りを行うことにより、前記各条件を認識する際には光源の光量を多くした状態で行い、原稿画像に対しては適切な光量にて原稿読み取りが行えるため、前記各条件の誤認識を防止した上で、タッチ式操作パネル部２９以外の装置に弊害を与えることなく、最適な原稿読み取りを可能としている。
【００５２】
以上の実施形態は、本発明の一例でしかないので、本発明を限定するものではない。
【００５３】
【発明の効果】
以上説明した通り本発明の画像読み取り装置によれば、ユーザにより指示された操作パネル部の状態を、原稿読み取り手段を用いて認識することにより、構成部品が少なく、操作パネル部を安価にできる。また、小型で簡素な構成により、使い勝手がよく、機種毎の移植性を高め、なおかつ、画像読み取り装置の既存機能を有効利用できる操作パネル部を有する画像読み取り装置を実現することができる。
【００５４】
また、本発明によれば、操作パネル部を認識する画像読み取り手段には、画像読み取り装置の撮像手段であるＣＣＤであるため、部品点数を増加させず、簡単な機構でなおかつ、安価に実現することができる。
【００５５】
また、本発明によれば、操作パネル部上の印字条件等の設定が、操作パネル部上の開口部を手等で遮蔽することで行うことができるため、操作性に優れている。
加えて、従来のユーザによる操作パネル部の設定手順を踏襲しているため、他の装置へも流用可能であり、なおかつ、簡素な構成により実現することができる。
【００５６】
また、本発明によれば、原稿読み取り条件や印字条件の設定後、条件入力決定を示す開口部を遮蔽することにより、原稿読み取りが開始されるため、ユーザのケアレスミスを未然に防ぐことができる。
【００５７】
また、本発明の画像読み取り装置および画像読み取り方法によれば、移動式光学ユニットが原稿読み取り条件や、印字条件の設定を認識し、光源の光量を決定するシェーディング補正を行った後で、原稿画像の読み取りを行うことにより、前記各条件を認識する際には光源の光量を多くした状態で行い、原稿画像に対しては適切な光量にて原稿読み取りが行えるため、前記各条件の誤認識を防止した上で、操作パネル部以外の装置に弊害を与えることなく、最適な原稿読み取りを可能としている。
【図面の簡単な説明】
【図１】  実施形態におけるディジタル複写機の構成を示す正面断面図である。
【図２】  実施形態における画像読み取り部の詳細図である。
【図３】  実施形態におけるタッチ式操作パネル部の詳細図である。
【図４】  実施形態における画像読み取りに係わるフローチャートである。
【図５】  実施形態におけるディジタル複写機とスキャナの制御を示すブロック図である。
【符号の説明】
１  ディジタル複写機（画像読み取り装置）
２  画像読み取り部
３  画像形成部
４  給紙部
５  排紙部
６  用紙搬送路
７  自動原稿送り装置
２０  移動式光学ユニット（原稿読み取り手段）
２１  原稿台
２２  露光ランプ
２２ａ  インバータ
２３  ミラー
２４  ミラー
２５  ミラー
２６  レンズ
２７  ＣＣＤ（撮像手段）
２７０  ＣＣＤ基板
２７１  メインコントロール基板
２７２  Ｉ／Ｆ基板
２７ａ  ＡＤ変換器
２７ｂ  ＡＳＩＣ
２７ｃ  ＣＣＤ制御
２７ｄ  画像処理
２７ｅ  データ処理
２７ｆ  ＳＲＡＭ  ３２ｋＸ８
２７ｇ  ＣＰＵ  Ｈ８Ｓ
２７ｈ  モータドライバ
２７ｉ  ＲＯＭ
２７ｊ  ＲＡＭ
２７ｋ  ＥＥＰＲＯＭ
２７ｍ  ＡＳＩＣ
２７ｎ  Ｉ／Ｆ
２７ｐ  ＤＲＡＭ
２８  原稿先端位置規制板
２９  タッチ式操作パネル部（操作パネル部）
２９０  操作パネル部
３０  シェーディング補正部
３１  感光体ドラム
３１ａ  メインチャージャーローラ
３１０  感光体カートリッジ
３２  帯電器
３３  レーザ書き込みユニット
３４  現像器（現像カートリッジ）
３４ａ  現像ローラ
３４ｂ  ドクター
３４ｃ  アースシート
３５  転写器（転写ローラ）
３６  剥離器（剥離電極）
３７  クリーナ
４１  給紙カセット
４２  手差しトレイ
４３  繰出しローラ
４４  繰出しローラ
４５  給紙ローラ
４６  給紙ローラ
４７  給紙ローラ
５１  排紙トレイ
５１ａ  排紙センサ
６１  レジストローラ
６２  搬送ベルト
６３  定着ローラ（ヒートローラ）
６３ａ  ヒータランプ
６３ｂ  サーミスタ
７１  原稿トレイ
７２  繰出しローラ
７３  給送ローラ
７４  給送ローラ
７５  排出ローラ
７６  排出トレイ
８１  入力決定部
８２  印字枚数の設定部
８３  露光量選択部（手動）
８４  露光量選択部（自動、手動、写真等のモード選択部）
８５  用紙選択部
８６  印字倍率選択部
９０  高圧基板
９０ａ  入紙センサ
９０ｂ  カバーＳＷ
９０ｃ  ドライバ
９０ｄ  モータドライバ
９０ｅ  高圧ユニット
９１  パーソナルコンピュータ
９２  ＬＳＵユニット
９２ａ  レーザ
９３  レーザビームセンサ
９４  ポリゴンモータ
９５  ピックアップソレノイド
９６  メインモータ
９７  電源ユニット
９８  ホームポジションセンサ
９９  スキャナモータ
１００  温度ヒューズ
Ｐ  用紙
Ｄ  原稿
【図１】
0003805148.tif 000002
【図２】
0003805148.tif 000003
【図３】
0003805148.tif 000004
【図４】
0003805148.tif 000005
【図５】
0003805148.tif 000006